(57)【要約】【課題】より簡素な構成によって、軟弱な地盤に対しても土留板の支持力の不足が生じることなく、的確な土留作用を確保し得る使い勝手のよい客土用の土留技術を提供する。【解決手段】略Ｕ字状又は略Ｖ字状に折曲げ形成した棒材からなる複数の支持部材５の各頂部を連結部材６にて連結し、その連結部材６を境に支持部材５の山側に多数の開孔部を備えた土留板７を支持するとともに、前記支持部材５の谷側の下端部に可撓性を有する接地板８を固着し、その接地板８を傾斜した地盤表面に接地させるとともに、前記土留板７の下部をアンカーピンにより地盤に対して固定した上、前記地盤上に植生用の客土を供給する。【選択図】図４
2011106206.tif 000002
【特許請求の範囲】
【請求項１】
略Ｕ字状又は略Ｖ字状に折曲げ形成した棒材からなる複数の支持部材の各頂部を連結部材にて連結し、その連結部材を境に前記支持部材の片側に多数の開孔部を備えた土留板を支持するとともに、前記支持部材の反対側の下端部に可撓性を有する接地板を固着し、その接地板を傾斜した地盤表面に接地させるとともに、前記土留板の下部をアンカーピンにより地盤に対して固定した上、前記地盤上に植生用の客土を供給することを特徴とする客土用土留方法。
【請求項２】
略Ｕ字状又は略Ｖ字状に折曲げ形成した棒材からなる複数の支持部材の各頂部を連結部材にて連結し、その連結部材を境に前記支持部材の片側に多数の開孔部を有する土留板を支持するとともに、前記支持部材の反対側の下端部に可撓性を有する接地板を固着し、前記土留板の下部を地盤に対して固定するアンカーピンを備えたことを特徴とする客土用土留用具。
【請求項３】
前記土留板を網状部材から構成したことを特徴とする請求項２に記載の客土用土留用具。
【請求項４】
前記土留板を間隔をあけて平行に並べた多数の棒材から構成したことを特徴とする請求項２に記載の客土用土留用具。
【発明の詳細な説明】
【技術分野】
【０００１】
本発明は、傾斜した地盤表面に対して植栽用の客土を吹付け工法などにより供給して斜面の緑化を図る斜面の緑化技術に関し、より詳しくは、その傾斜した地盤表面に供給した植栽用の客土の滑落を防止し得るとともに、良好な排水性や通気性を維持し得る客土用の土留技術に関するものである。
【背景技術】
【０００２】
この種の客土用の土留技術に関しては、傾斜した地盤表面に対して多数の土留板を設置した上、植生材として客土などを吹付け工法などにより供給して緑化を図る土留技術が知られている。また、その土留板の設置の仕方に関し、アンカーにより土留板を直接的に支持して設置するものや、Ｌ字状、略Ｖ字状、あるいは三角形状に折曲げ形成した支持部材を介して土留板を支持し、アンカーによって固定するものなどが知られている（特許文献１）。しかしながら、これらの従来における土留板の設置の仕方では、その土留板を支持する支持力が、山側ではアンカーの定着力に依存する。一方、谷側においては、土留板が受止める土留圧に基づいて支持部材に後方への回転力が作用することになるが、この回転力に対しては、その支持部材の谷側の部分と地盤との接地面における地盤側からの反力に依存することになる。このため、軟弱な地盤の場合には、とりわけ谷側において支持部材の接地部が地盤側へめり込んで土留板に対する支持力の不足が生じるといった技術的問題があった。
【先行技術文献】
【特許文献】
【０００３】
【特許文献１】特開２００７−２９７８８９号公報
【発明の概要】
【発明が解決しようとする課題】
【０００４】
本発明は、より簡素な構成によって、軟弱な地盤に対しても土留板の支持力の不足が生じることなく、的確な土留作用を確保し得る使い勝手のよい客土用の土留技術を提供することを目的とするものである。
【課題を解決するための手段】
【０００５】
本発明は、前記課題を解決するため、略Ｕ字状又は略Ｖ字状に折曲げ形成した棒材からなる複数の支持部材の各頂部を連結部材にて連結し、その連結部材を境に前記支持部材の片側に多数の開孔部を備えた土留板を支持するとともに、前記支持部材の反対側の下端部に可撓性を有する接地板を固着し、その接地板を傾斜した地盤表面に接地させるとともに、前記土留板の下部をアンカーピンにより地盤に対して固定した上、前記地盤上に植生用の客土を供給するという技術手段を採用した。なお、前記土留板は、網状部材から構成したり、間隔をあけて平行に並べた多数の棒材から構成することが可能である。
【発明の効果】
【０００６】
本発明によれば、次の効果を得ることができる。
（１）土留板の支持手段として、略Ｕ字状又は略Ｖ字状に折曲げ形成した棒材からなるアーチ状の支持部材を採用したので、客土の滑落に対する強力な土留力を簡便に得ることができる。
（２）支持部材の谷側の下端部に可撓性を有する接地板を固着し、その接地板を傾斜した地盤表面に接地させることによって、地盤側からの反力を的確に受止めるように構成したので、軟弱な地盤に対する場合であっても、従来のように支持部材の谷側の下端部が地盤側にめり込んで支持力の不足を生じるような事態は的確に防止することができ、客土の滑落に対する的確な土留力を簡便かつ安定的に得ることができる。
（３）アンカーピンによる山側の地盤に対する定着力と前記接地板による谷側の地盤に対する接地面からの反力との組合わせによって、客土の滑落を防止する土留力を確保するように構成したので、きわめて簡素な構成であるにも拘らず、軟弱な地盤に対する場合であっても、的確な土留力を簡便かつ安定的に得ることができる。
（４）支持部材の谷側の下端部に固着される前記接地板は、可撓性を有することから地盤表面の凹凸に適応可能であるとともに、その設置状態において地盤表面と客土下面とによって挟持されることからがたつきの少ない安定した設置状態が簡便に得られる。
（５）土留板として多数の開孔部を備えた土留板を採用したことから、客土の滑落を防止するだけでなく、良好な排水性や通気性を維持し得るので、土留板によって客土が隔離されることがなく、また根絡みも期待できるので、斜面の保護及び的確な緑化に有効である。
【図面の簡単な説明】
【０００７】
【図１】本発明の実施状態を例示した説明図である。
【図２】本発明の客土用土留用具に係る第１実施例を示した正面図である。
【図３】同第１実施例を拡大して示した拡大側面図である。
【図４】同第１実施例を示した斜視図である。
【図５】本発明の客土用土留用具に係る第２実施例を示した正面図である。
【図６】同第２実施例を拡大して示した拡大側面図である。
【図７】同第２実施例を示した斜視図である。
【発明を実施するための形態】
【０００８】
本発明は、地盤表面に対して供給される客土の滑落を防止する土留手段として使用されるものであれば、更に他の緑化基材を合わせて地盤表面に供給する場合にも適用し得ることはいうまでもない。本発明の土留手段は、とりわけ軟弱な地盤表面に対して有効であるが、それに限定されるものではない。すなわち、適用する地盤表面は、地山などの自然のままの斜面の表面でも、造成された斜面の表面でも、予めコンクリートやモルタル等によって被覆された斜面の表面であってもよい。また、土留板は、多数の開孔部を有するものであればよく、網状部材から構成したり、多数の棒材を間隔をあけて平行に並べて形成したものなどから構成される。その土留板の高さ方向の幅は、前記支持部材間の山側の下端部から上端部までの全幅を塞ぐものでもよいが、一部を塞ぐ形態も可能である。
【０００９】
また、土留板の下部をアンカーピンにより地盤に対して固定する場合の具体的な手法に関しては、土留板の下部に対して直接的にアンカーピンの掛止部を掛止するようにしてもよいし、土留板の他の部分に対してアンカーピンの掛止部を掛止するようにしてもよい。その場合に、アンカーピンを先に打込み、そのアンカーピンの掛止部に土留用具を掛止するように設置してもよいし、逆に後からアンカーピンを打込む際に掛止部を土留用具に掛止させるようにしてもよい。さらに、前記支持部材の下端部をアンカーピンによって固定することにより、土留板の下部を地盤に対して固定する形態も可能である。要は、アンカーピンを用いて土留板の下部を地盤に対して固定し得るものであればよい。
【００１０】
また、土留板に対する支持部材の配置関係は、土留板の左右両端及び中央に支持部材を配置する形態だけでなく、土留板に作用する圧力により回動しないように間隔をあけて配設した少なくとも２つの支持部材を有するものであればよい。さらに、前記接地板は、後述の実施例のように谷側の全ての支持部材の下端部に設ける形態が好適であるが、土留板の支持力として充分な反力が得られる場合には、一部の支持部材の下端部に対する設置は省略してもよい。この接地板の大きさや可撓性に関しては、地盤側にめり込んでしまうことなく、地盤からの反力を的確に受止めて土留板に作用する圧力に対して十分に対抗し得る受圧面積と可撓性を備えるように設定する。なお、接地板の可撓性は、地盤表面に対して適度に食込んで、その地盤表面の凹凸に適応できる程度のものが好適である。そして、その程度の可撓性を備えるものであれば、金属製だけでなく合成樹脂製のものも可能である。
【実施例１】
【００１１】
図１は本発明の実施状態を例示した説明図であり、図示のように本発明に係る客土用の土留用具１は、傾斜した地盤２の表面に対して千鳥状などの適宜の配列で多数設置される。しかる後、その地盤２の表面に対して吹付け工法などにより客土３が供給され、緑化などが図られることになる。なお、図中４はアンカーピンを示したものである。
【００１２】
図２〜図４は本発明の客土用土留用具に係る第１実施例を示したものである。図示のように、本実施例に係る土留用具１は、略Ｕ字状に折曲げ形成した棒材からなる複数の支持部材５と、それらの支持部材５の各頂部を連結した連結部材６と、その連結部材６を境に前記支持部材５の片側に設けた多数の開孔部を有する網状部材からなる帯状の土留板７と、その支持部材５の反対側の下端部に溶接などにより固着した可撓性を有する接地板８とから構成される。
【００１３】
本実施例の土留用具１を傾斜した地盤２の表面に対して設置する場合には、図４に示したように、土留板７を設けた側を山側へ向けて地盤２上の所定位置に載置する。これにより、支持部材５の反対側の下端部に固着された接地板８は地盤２の谷側の表面に接地され、支持部材５の谷側に関する設置作業は完了する。しかる後、アンカーピン４を土留板７の下部の網目に挿通させ、あるいは外側から土留板７の下部近傍に打込み、そのアンカーピン４の上端部に折曲げ形成したＬ字状などの掛止部を土留板７の下部に掛止して、土留板７の下部を地盤２に対して固定する。すなわち、土留用具１の設置に際しては、傾斜した地盤２の表面の所定の設置位置に載置し、土留板７の下部をアンカーピン４によって地盤２に対して固定するだけで設置作業が完了し、土留用具１をきわめて簡便に設置することができる。なお、前述のように、アンカーピン４によって支持部材５の山側下端部を固定することにより、土留板７の下部を地盤２に対して固定するようにしてもよい。また、以上の説明では、土留用具１を地盤２上の所定位置に載置し、その載置状態で後からアンカーピン４を打込んで固定する場合を示したが、先にアンカーピン４を打込んでおき、その打込まれたアンカーピン４の掛止部に対して後から土留板７側を掛止するようにして土留用具１を設置する作業手順も可能である。
【実施例２】
【００１４】
図５〜図７は本発明の客土用土留用具に係る第２実施例を示したものである。図示のように、本実施例に係る土留用具９は、略Ｕ字状に折曲げ形成した棒材からなる前記支持部材５と同様の複数の支持部材１０と、それらの支持部材１０の各頂部を連結した連結部材１１と、その連結部材１１を境に前記支持部材１０の片側に間隔をあけて平行に並べて設けた多数の棒材１２からなる土留板１３と、その支持部材１０の反対側の下端部に溶接などにより固着した可撓性を有する接地板１４とから構成される。
【００１５】
本実施例の土留用具９を傾斜した地盤２の表面に対して設置する場合には、図７に示したように、土留板１３を設けた側を山側へ向けて地盤２上の所定位置に載置する。これにより、支持部材１０の反対側の下端部に固着された接地板１４は地盤２の谷側の表面に接地され、支持部材１０の谷側に関する設置作業は完了する。しかる後、アンカーピン４を土留板１３を構成する下部の棒材１２の近傍に打込み、そのアンカーピン４の上端部に折曲げ形成したＬ字状などの掛止部をその棒材１２に掛止して、土留板１３の下部を地盤２に対して固定する。すなわち、本実施例の土留用具９の設置に際しては、傾斜した地盤２の表面の所定の設置位置に載置し、下部の棒材１２にアンカーピン４の掛止部を掛止させて土留板１３の下部を地盤２に対して固定するだけで設置作業が完了し、土留用具９をきわめて簡便に設置することができる。なお、前述のように、アンカーピン４によって支持部材１０の山側下端部を固定することにより、土留板１３の下部を地盤２に対して固定するようにしてもよい。また、以上の説明では、土留用具９を地盤２上の所定位置に載置し、その載置状態で後からアンカーピン４を打込んで固定する場合を示したが、先にアンカーピン４を打込んでおき、その打込まれたアンカーピン４の掛止部に対して後から土留板１３側を掛止するようにして土留用具９を設置する作業手順も可能である。
【符号の説明】
【００１６】
１：土留用具、２：地盤、３：客土、４：アンカーピン、５：支持部材、６：連結部材、７：土留板、８：接地板、９：土留用具、１０：支持部材、１１：連結部材、１２：棒材、１３：土留板、１４：接地板
【図１】
2011106206.tif 000003
【図２】
2011106206.tif 000004
【図３】
2011106206.tif 000005
【図４】
2011106206.tif 000006
【図５】
2011106206.tif 000007
【図６】
2011106206.tif 000008
【図７】
2011106206.tif 000009